(57)【要約】【課題】大当り時に手持ちの遊技媒体がなくなった場合であっても、遊技客が追加で遊技媒体を借りることなく遊技を継続することができるとともに、遊技店の不利益も防止すること。【解決手段】遊技台に対応して設けられる各台装置において、遊技台から受け取った遊技媒体を各台装置が計数し、遊技台が特賞状態であることを示す特賞信号を各台装置が取得し、特賞信号が取得された場合に、所定数の遊技媒体の貸越を各台装置が行い、貸越が行われた遊技媒体の数を計数された遊技媒体の計数値に基づいて各台装置が相殺するように各台装置を構成する。【選択図】図２
2011182937.tif 000002
【特許請求の範囲】
【請求項１】
遊技台に対応して設けられる各台装置であって、
前記遊技台から受け取った遊技媒体を計数する計数手段と、
前記遊技台が特賞状態であることを示す特賞信号を取得する特賞信号取得手段と、
前記特賞信号取得手段によって前記特賞信号が取得された場合に、所定数の前記遊技媒体の貸越を行う貸越手段と、
前記貸越手段によって貸越が行われた前記遊技媒体の数を前記計数手段によって計数された前記遊技媒体の計数値に基づいて相殺する相殺手段と
を備えたことを特徴とする各台装置。
【請求項２】
前記貸越手段は、
前記計数手段によって計数された前記遊技媒体の前記計数値が所定数に満たない場合に、前記遊技媒体の貸越を行うことを特徴とする請求項１に記載の各台装置。
【請求項３】
前記貸越手段によって貸越を行う前記遊技媒体の数を変更する変更手段
をさらに備えたことを特徴とする請求項１または２に記載の各台装置。
【請求項４】
前記貸越手段によって前記遊技媒体の貸越が行われた旨を報知する報知手段
をさらに備えたことを特徴とする請求項１、２または３に記載の各台装置。
【請求項５】
前記貸越手段は、
賞球を伴う前記特賞信号が前記特賞信号取得手段によって取得された場合に、前記遊技媒体の貸越を行うことを特徴とする請求項１〜４のいずれか一つに記載の各台装置。
【請求項６】
前記計数値から前記貸越手段によって貸越が行われた前記遊技媒体の数を減算した値を初期値として前記計数手段に計数を行わせることを特徴とする請求項１〜５のいずれか一つに記載の各台装置。
【請求項７】
遊技台から受け取った遊技媒体を計数する計数工程と、
前記遊技台が特賞状態であることを示す特賞信号を取得する特賞信号取得工程と、
前記特賞信号取得工程によって前記特賞信号が取得された場合に、所定数の前記遊技媒体の貸越を行う貸越工程と、
前記貸越工程によって貸越が行われた前記遊技媒体の数を前記計数工程によって計数された前記遊技媒体の計数値に基づいて相殺する相殺工程と
を含んだことを特徴とする遊技媒体貸越方法。
【発明の詳細な説明】
【技術分野】
【０００１】
この発明は、遊技台に対応して設けられる各台装置および遊技媒体貸越方法に関し、特に、大当り時に手持ちの遊技媒体がなくなった場合であっても、遊技客が追加で遊技媒体を借りることなく遊技を継続することができるとともに、遊技店の不利益も防止することができる各台装置および遊技媒体貸越方法に関するものである。
【背景技術】
【０００２】
従来から、パチンコ店等の遊技店に設置されるパチンコ機やパチスロ機といった遊技台に並設される遊技媒体を貸し出す遊技媒体貸出機（以下、「各台装置」と記載する）が知られている。
【０００３】
遊技客は、各台装置から貸し出された遊技媒体を遊技台の遊技領域に打ち込んで遊技を行い、「特賞」を獲得した場合（以下、「大当り」と記載する）、大当りに対して払出される遊技媒体（以下、「賞球」と記載する）を獲得する。
【０００４】
ここで、遊技台で大当りが確定してから賞球を獲得する際にも遊技媒体を打ち込む必要がある。しかし、手持ちの遊技媒体がなくなった場合には、遊技客は追加して紙幣を挿入等して遊技媒体の貸出処理を行う必要がある。
【０００５】
そこで、近年では、遊技客が賞球に基づいて相殺することを前提に遊技媒体を前借りすることができる各台装置、すなわち、大当り確定時に各台装置が貸越して遊技媒体を貸し出す各台装置を設置する遊技店もある。
【０００６】
たとえば、特許文献１には、大当り確定時に各台装置が貸越して遊技媒体を貸し出し、追加で紙幣を挿入することなく遊技を継続することができる各台装置が開示されている。
そして、特許文献１の各台装置では、大当り終了後に遊技客が遊技媒体の貸出処理を行う際に、貸越した遊技媒体の数を控除することで相殺を行うこととしている。
【先行技術文献】
【特許文献】
【０００７】
【特許文献１】特許第２８７３０７８号公報
【発明の概要】
【発明が解決しようとする課題】
【０００８】
しかしながら、特許文献１の各台装置では、大当り終了後に遊技客によって遊技媒体の貸出処理が行われなかった場合に、大当り確定時に各台装置が貸越した遊技媒体を回収することができずに、遊技店が不利益を被ってしまうという問題があった。
【０００９】
たとえば、大当り終了後に遊技客が遊技を終了する場合に、そもそも遊技客は、遊技媒体の貸出処理を行うことはない。したがって、大当り確定時に各台装置が貸越した遊技媒体を回収することができない。
【００１０】
これらのことから、大当り時に手持ちの遊技媒体がなくなった場合であっても、遊技客が追加で遊技媒体を借りることなく遊技を継続することができるとともに、遊技店の不利益も防止することができる各台装置および遊技媒体貸越方法をいかにして実現するかが大きな課題となっている。
【００１１】
この発明は、上述した従来技術による問題点を解消するためになされたものであって、大当り時に手持ちの遊技媒体がなくなった場合であっても、遊技客が追加で遊技媒体を借りることなく遊技を継続することができるとともに、遊技店の不利益も防止することができる各台装置および遊技媒体貸越方法を提供することを目的とする。
【課題を解決するための手段】
【００１２】
上述した課題を解決し、目的を達成するため、本発明は、遊技台に対応して設けられる各台装置であって、前記遊技台から受け取った遊技媒体を計数する計数手段と、前記遊技台が特賞状態であることを示す特賞信号を取得する特賞信号取得手段と、前記特賞信号取得手段によって前記特賞信号が取得された場合に、所定数の前記遊技媒体の貸越を行う貸越手段と、前記貸越手段によって貸越が行われた前記遊技媒体の数を前記計数手段によって計数された前記遊技媒体の計数値に基づいて相殺する相殺手段とを備えたことを特徴とする。
【００１３】
また、本発明は、上記の発明において、前記貸越手段は、前記計数手段によって計数された前記遊技媒体の前記計数値が所定数に満たない場合に、前記遊技媒体の貸越を行うことを特徴とする。
【００１４】
また、本発明は、上記の発明において、前記貸越手段によって貸越を行う前記遊技媒体の数を変更する変更手段をさらに備えたことを特徴とする。
【００１５】
また、本発明は、上記の発明において、前記貸越手段によって前記遊技媒体の貸越が行われた旨を報知する報知手段をさらに備えたことを特徴とする。
【００１６】
また、本発明は、上記の発明において、前記貸越手段は、賞球を伴う前記特賞信号が前記特賞信号取得手段によって取得された場合に、前記遊技媒体の貸越を行うことを特徴とする。
【００１７】
また、本発明は、上記の発明において、前記計数値から前記貸越手段によって貸越が行われた前記遊技媒体の数を減算した値を初期値として前記計数手段に計数を行わせることを特徴とする。
【００１８】
また、本発明は、遊技台から受け取った遊技媒体を計数する計数工程と、前記遊技台が特賞状態であることを示す特賞信号を取得する特賞信号取得工程と、前記特賞信号取得工程によって前記特賞信号が取得された場合に、所定数の前記遊技媒体の貸越を行う貸越工程と、前記貸越工程によって貸越が行われた前記遊技媒体の数を前記計数工程によって計数された前記遊技媒体の計数値に基づいて相殺する相殺工程とを含んだことを特徴とする。
【発明の効果】
【００１９】
本発明によれば、遊技台に対応して設けられる各台装置において、遊技台から受け取った遊技媒体を各台装置が計数し、遊技台が特賞状態であることを示す特賞信号を各台装置が取得し、特賞信号が取得された場合に、所定数の遊技媒体の貸越を各台装置が行い、貸越が行われた遊技媒体の数を計数された遊技媒体の計数値に基づいて各台装置が相殺することとしたので、大当り時に手持ちの遊技媒体がなくなった場合であっても、遊技客が追加で遊技媒体を借りることなく遊技を継続することができるとともに、遊技店の不利益も防止することができるという効果を奏する。
【００２０】
また、本発明によれば、計数された遊技媒体の計数値が所定数に満たない場合に、遊技媒体の貸越を各台装置が行うこととしたので、大当り時に手持ちの遊技媒体が十分ある場合には貸越は行われず、不必要な遊技媒体の払出を防止することができるという効果を奏する。
【００２１】
また、本発明によれば、貸越を行う遊技媒体の数を各台装置が変更することとしたので、遊技台で大当りが確定してから賞球を獲得するまでの間が長く、遊技媒体を多く必要とする遊技台にも対応することができ、また、少ない遊技媒体数を所望する遊技客にも対応することができ、遊技店は柔軟な貸越サービスを提供することができるという効果を奏する。
【００２２】
また、本発明によれば、遊技媒体の貸越が行われた旨を各台装置が報知することとしたので、遊技客が獲得した遊技媒体の計数後に、計数値である持玉数が少ない等、遊技客に対して疑念を抱かれることを防止することができるという効果を奏する。
【００２３】
また、本発明によれば、賞球を伴う特賞信号が取得された場合に、各台装置が遊技媒体の貸越を行うこととしたので、貸越が行われた遊技媒体を必ず相殺することができることで遊技店の不利益を防止することができるという効果を奏する。
【００２４】
また、本発明によれば、計数値から貸越が行われた遊技媒体の数を減算した値を初期値として各台装置が計数を行わせることとしたので、貸越が行われた遊技媒体を早急に相殺することができるという効果を奏する。
【００２５】
また、本発明によれば、遊技台から受け取った遊技媒体を各台装置が計数し、遊技台が特賞状態であることを示す特賞信号を取得し、特賞信号が取得された場合に、所定数の遊技媒体の貸越を行い、貸越が行われた遊技媒体の数を計数された遊技媒体の計数値に基づいて相殺することとしたので、大当り時に手持ちの遊技媒体がなくなった場合であっても、遊技客が追加で遊技媒体を借りることなく遊技を継続することができるとともに、遊技店の不利益も防止することができるという効果を奏する。
【図面の簡単な説明】
【００２６】
【図１】図１は、本発明に係る各台装置および遊技媒体貸越方法の概要を示す図である。
【図２】図２は、本実施例に係る各台装置および遊技媒体貸越方法の構成を示すブロック図である。
【図３】図３は、各台装置の外観図である。
【図４】図４は、貸越玉数および持玉数の一例を示す図である。
【図５】図５は、各台装置が実行する貸越処理手順の概要を示すフローチャートである。
【図６】図６は、変形例に係る各台装置を示す図である。
【図７】図７は、変形例に係る表示部の表示例を示す図である。
【図８】図８は、変形例に係る各台装置が実行する貸越相殺処理手順の概要を示すフローチャートである。
【発明を実施するための形態】
【実施例】
【００２７】
以下に添付図面を参照して、本発明に係る各台装置および遊技媒体貸越方法の好適な実施例を詳細に説明する。なお、以下では、本発明に係る各台装置および遊技媒体貸越方法の概要について図１を用いて説明した後に、本発明に係る各台装置および遊技媒体貸越方法についての実施例を図２〜図８を用いて説明することとする。まず、本発明に係る各台装置および遊技媒体貸越方法の概要について図１を用いて説明する。なお、以下ではパチンコ機に併設される各台装置を例に説明する。
【００２８】
図１は、本発明に係る各台装置および遊技媒体貸越方法の概要を示す図である。図１に示すように、本発明に係る各台装置は、パチンコ機に併設され、遊技客が獲得したパチンコ玉（以下、「持玉」と記載する）を計数する計数機能を有する。
【００２９】
そして、パチンコ機が大当り確定時に持玉数が所定値に満たない場合、本発明に係る各台装置は、遊技客がパチンコ玉を前借りすることができるとともに、大当り終了時に、大当り中に計数された持玉数から前借りしたパチンコ玉の数を減算して相殺することができる点に主たる特徴がある。
【００３０】
このように前借り、すなわち、貸越してパチンコ玉の貸し出しをおこなうことで、本発明に係る各台装置は、大当り時に手持ちのパチンコ玉がなくなった場合であっても、遊技客が追加で遊技媒体を借りることなく遊技を継続することができる。
【００３１】
また、本発明に係る各台装置では、大当り中に計数された持玉数から貸越したパチンコ玉の数を減算することによって必ず相殺することができるので、遊技店の不利益も防止することができる。
【００３２】
図１の（Ａ）に示すように、本発明に係る各台装置は、遊技客によって挿入される紙幣やプリペイド価値が関連付けられたカードに基づいてパチンコ玉の貸し出しを行い、貸し出すパチンコ玉の払出しを行っている。また、各台装置では、遊技客が獲得した持玉を計数した持玉数と貸越が行われた際に使用する貸越玉数とを記憶し、管理している。
【００３３】
ここで、図１の（Ｂ）に示すように、パチンコ機が大当り確定となった場合に（図１の（１）参照）、賞球を獲得するために遊技客はパチンコ玉を打ち込む必要がある。そこで、手持ちのパチンコ玉がなくなる、または、所定数より少ない場合に、各台装置は貸越して貸し出すパチンコ玉の払出しを行う（図１の（２）参照）。
【００３４】
各台装置は、貸越して貸し出したパチンコ玉の数を貸越玉数として記憶し、持玉数とともに貸越玉数を表示部へ表示し、遊技客に対して貸越が行われた旨を報知する（図１の（３）参照）。たとえば、２０玉のパチンコ玉を貸越して払出されたとすると、各台装置は、「持玉数０玉、貸越玉数２０玉」と表示する。
【００３５】
その後、図１の（Ｃ）に示すように、各台装置は、遊技客が獲得した賞球を計数して持玉数として記憶し（図１の（４）参照）、大当り終了後に、持玉数から貸越玉数を減算することによって貸越玉数を相殺する（図１の（５）参照）。
【００３６】
具体的には、各台装置は、計数された持玉数が５００玉であった場合、貸越玉数の２０玉を減算し（５００玉−２０玉＝４８０玉）、貸越玉数を０玉に戻し、「持玉数４８０玉、貸越玉数０玉」と表示する。
【００３７】
このようにすることで、本発明に係る各台装置では、パチンコ機が大当り確定時に貸越したパチンコ玉を、賞球したパチンコ玉、すなわち持玉数から減算することによって、貸越したパチンコ玉を、もれなく相殺することができる。したがって、本発明に係る各台装置では、遊技店の不利益を生じることはない。
【００３８】
ここでは、大当り終了後に、持玉数から貸越玉数を減算することによって貸越玉数を相殺することとしたが、相殺のタイミングについては賞球が計数されるごとに相殺することとしてもよいし、大当り時に持玉数から貸越玉数をすべて減算してしまい、その後、賞球の計数を行うこととしてもよい。
【００３９】
以下では、図１を用いて説明した本発明に係る各台装置についての実施例を詳細に説明する。まず、本実施例に係る各台装置１０の構成について図２を用いて説明する。図２は、本実施例に係る各台装置１０の構成を示すブロック図である。なお、図２では、各台装置１０の特徴点を説明するために必要な構成要素のみを抜粋して示している。
【００４０】
図２に示すように、各台装置１０は、玉払出部１１と、表示部１２と、記憶部１３と、制御部１４とを備えている。また、制御部１４は、特賞信号取得部１４ａと、貸越部１４ｂと、相殺部１４ｃと、持玉計数部１４ｄとをさらに備えており、記憶部１３は、貸越払出数１３ａと、貸越玉数１３ｂと、持玉数１３ｃとを記憶する。
【００４１】
玉払出部１１は、ノズルを備え、持玉の払出しを行う。たとえば、図示しない持玉払出ボタンが押下された場合に、持玉計数部１４ｄで計数された持玉数１３ｃから払出数を減算して、玉払出部１１経由でパチンコ機２０へパチンコ玉を投出する。
【００４２】
なお、ノズルを備えた玉払出部１１はなくてもよく、その場合は、パチンコ機２０から持玉を投出するようにしてもよい。表示部１２は、持玉数１３ｃおよび貸越玉数１３ｂを表示する。
【００４３】
記憶部１３は、不揮発性メモリやハードディスクドライブといった記憶デバイスで構成される記憶部である。この記憶部１３は、貸越して払出すパチンコ玉数を貸越払出数１３ａとして記憶する。なお、各台装置１０は、遊技客または従業員によって表示操作部２４等から貸越払出数１３ａを変更できることとしてもよい。
【００４４】
また、記憶部１３は、貸越部１４ｂで貸越して払出されたパチンコ玉数を貸越玉数１３ｂとし、持玉計数部１４ｄで計数したパチンコ玉数を持玉数１３ｃとして記憶して記憶する。
【００４５】
ここで、各台装置１０の概要構成を説明するために、図３を用いて各台装置１０の外観について説明しておく。図３は、各台装置１０の外観図である。なお、同図には、各台装置１０が併設されるパチンコ機２０を破線で示している。
【００４６】
図３に示すように、各台装置１０は、各台装置１０の装置状態を所定色のランプの点灯あるいは点滅で表示する状態表示部２１と、パチンコ玉の払出のための各種紙幣を受け付ける紙幣挿入部２２とを備えている。
【００４７】
また、各台装置１０は、持玉払出操作を受け付けたり、持玉数１３ｃや貸越玉数１３ｂを表示したりする表示操作部２４と、パチンコ玉を払出すノズルを備えた玉払出部１１とを備えている。
【００４８】
さらに、各台装置１０は、持玉数やプリペイド価値や貯玉数が関連付けられたカード（会員カードまたはビジターカード）の受け付け、会員カードの返却、および、ビジターカードの発行を行うカードＲ／Ｗ（リーダ／ライタ）部２５を備えている。なお、カードＲ／Ｗ部２５の内部には、複数枚のビジターカードが収納されているものとする。
【００４９】
ここで、貯玉とは、遊技客（会員）が獲得したパチンコ玉を遊技店に預けることができるサービスのことで、遊技店側は、遊技客が預けたパチンコ玉の数を貯玉数として図示しない管理コンピュータで管理する。そして、遊技客は、貯玉数が関連付けられた会員カードによって当日または翌日以降にパチンコ玉を払出してパチンコ機２０で貯玉による遊技（以下、「再プレイ」と記載する）を行うことができる。
【００５０】
なお、各台装置１０では、再プレイを行う際、会員カードが挿入されたならば、会員によって入力された認証用の暗証番号に基づいて挿入された会員カードの所有者本人であるか否かの認証を行う。所有者本人であると認証されたならば、各台装置１０は、表示操作部２４に設けられる再プレイボタンが押下された場合に、所定数のパチンコ玉を払出す。
【００５１】
ここで、各台装置１０は、パチンコ玉の払出しの際、会員によって挿入された会員カードに関連付けられた貯玉数、すなわち、管理コンピュータで管理される貯玉数から払出数を減算する処理を併せて行う。
【００５２】
また、各台装置１０は、持玉を計数する持玉計数部１４ｄと、持玉を貯留する玉貯留部２７とを備えている。また、玉貯留部２７の前面には、持玉数１３ｃと貸越玉数１３ｂとを表示する表示部１２をさらに備えている。
【００５３】
各台装置１０は、図３に示すパチンコ機２０の下皿２８から遊技客が獲得したパチンコ玉である持玉を玉貯留部２７へ誘導し、持玉計数部１４ｄで持玉の数量を計数する。
【００５４】
各台装置１０は、表示操作部２４や玉貯留部２７の前面に設けられる図示しない持玉払出ボタンが押下された場合には、持玉計数部１４ｄで計数された持玉数１３ｃから払出数を減算し、玉払出部１１経由で上皿２９へパチンコ玉を投出する。また、各台装置１０は、パチンコ機２０が大当り確定時に、持玉数１３ｃが所定数より少ない場合に、貸越して貸し出す貸越払出数１３ａのパチンコ玉を玉払出部１１経由で上皿２９へ投出する。
【００５５】
また、パチンコ機２０の上皿２９には、各台装置１０の制御部１４と電気的に接続されている玉貸ボタンが設けられている。パチンコ機２０は、この玉貸ボタンが押下された場合は、紙幣挿入部２２へ挿入された各種紙幣の残額あるいはカードＲ／Ｗ部２５に挿入されたカードに関連付けられたプリペイド価値から所定の価値を減算し、パチンコ機２０へパチンコ玉を投出する。
【００５６】
なお、本実施例では、各台計数機能と玉貸機能とを兼ね備えた１台の台間装置１０に対して本発明を適用した場合について説明したが、各台計数機能を有する各台計数装置と、玉貸機能を有する玉貸装置とを併設するシステム（以下、「ダブルサンド方式」と記載する）に対して本発明を適用することとしてもよい。
【００５７】
また、本実施例では、貯玉数が関連付けられた会員カードによって貯玉による遊技を行うこととした。しかし、会員カードの替わりに遊技客の所有する携帯端末を使用することとしてもよい。この場合、各台装置１０は携帯読取手段を備え、遊技客の所有する携帯端末の識別子であるＩＤｍを読み取り、ＩＤｍに関連付けられた貯玉数から払出数を減算して、パチンコ機２０からパチンコ玉を投出することとなる。
【００５８】
図２の説明に戻り、各台装置１０についての説明をつづける。制御部１４は、各台装置１０の全体制御を行う制御部である。特賞信号取得部１４ａは、パチンコ機２０から大当りになった通知である特賞信号を取得する処理を行う処理部である。
【００５９】
なお、パチンコ機２０によって、大当りの種類によって賞球が少ない、または、賞球がない場合がある。賞球数が貸越払出数１３ａより少ない場合には、各台装置１０では、貸越玉数１３ｂを相殺することができなくなる。
【００６０】
必ず相殺することができるように、各台装置１０は、特賞信号の種類が、賞球数が貸越払出数１３ａより多い大当りである（以下、「特賞信号」と記載する）場合に、貸越を行うこととする。したがって、特賞信号取得部１４ａは、賞球を伴う特賞信号を取得したら貸越指示を貸越部１４ｂへ通知する処理を併せて行う。
【００６１】
なお、特賞信号取得部１４ａは、賞球を伴う特賞信号を取得したら貸越指示を貸越部１４ｂへ通知することとした。しかし、特賞信号取得部１４ａは、賞球を伴う特賞信号を取得したら表示操作部２４等に貸越を行う旨を報知し、遊技客に確認させるようにしてもよい。この場合、特賞信号取得部１４ａは、図示しないＯＫボタン等が押下されることによって貸越指示操作を受け付けた場合に、貸越指示を貸越部１４ｂへ通知することとしてもよい。
【００６２】
貸越部１４ｂは、特賞信号取得部１４ａから貸越指示を受け付けたならば、貸越払出数１３ａのパチンコ玉を貸越して払出すよう玉払出部１１へ指示し、貸越玉数１３ｂへ貸越払出数１３ａをセットする処理を行う処理部である。また、貸越部１４ｂは、貸越が行われた旨を表示部１２へ表示する処理を併せて行う。
【００６３】
相殺部１４ｃは、持玉計数部１４ｄによって大当り中に賞球が計数されるたびに貸越玉数１３ｂを減算することによって貸越玉を相殺するとともに、持玉数１３ｃから貸越玉数１３ｂを相殺した旨を表示部１２へ表示する処理を併せて行う。
【００６４】
持玉計数部１４ｄは、遊技客が獲得したパチンコ玉を計数し、計数した持玉数１３ｃを表示部１２へ表示する処理を行う処理部である。
【００６５】
つぎに、貸越玉数１３ｂ、持玉数１３ｃおよび表示部１２へ表示する表示詳細について図４を用いて説明する。図４は、貸越玉数１３ｂおよび持玉数１３ｃの一例を示す図である。
【００６６】
図４の（Ａ）に示すように、貸越玉数１３ｂが０玉、持玉数１３ｃが３玉である場合には、各台装置１０は、表示部１２へ持玉数１３ｃと同数の「３」と表示する。ここで、パチンコ機２０が大当り確定となった場合に、持玉数１３ｃが所定数より少ない場合に、各台装置１０は貸越払出数１３ａのパチンコ玉を貸越する。
【００６７】
たとえば、所定数を５玉および貸越払出数１３ａが２０玉とした場合、持玉数１３ｃ（３玉）は所定数の５玉より少ないので、各台装置１０では貸越して貸し出すパチンコ玉の払出しが行われる。
【００６８】
これにより、図４の（Ｂ）に示すように、貸越玉数１３ｂは２０玉、持玉数１３ｃは３玉となり、表示部１２には、持玉数１３ｃと貸越玉数１３ｂとの差分（３玉−２０玉＝−１７玉）、すなわち「−１７」と表示される。
【００６９】
このように、表示部１２にマイナスの玉数が表示されることによって遊技客は持玉数１３ｃから貸越してパチンコ玉が払出されたことがわかる。なお、表示部１２は、貸越が行われた際に、表示する数値の表示色を変更してもよいし、点滅させて強調表示することとしてもよい。
【００７０】
そして、図４の（Ｃ）に示すように、大当りの賞球が持玉計数部１４ｄによって１玉計数されると、貸越玉数１３ｂから１玉減算することによって貸越玉を相殺するとともに、表示部１２には持玉数１３ｃと貸越玉数１３ｂとの差分「−１６」が表示される。
【００７１】
このように、各台装置１０では、貸越玉数１３ｂが１玉以上ある間は、大当りの賞球を１玉計数するごとに貸越玉を相殺する処理を行う。そして、図４の（Ｄ）に示すように、貸越玉数１３ｂが０玉になった時点で、貸越相殺処理を終了して、持玉計数部１４ｄでは、相殺を行わない場合の持玉計数処理が開始される。
【００７２】
つぎに、本実施例に係る各台装置１０が実行する貸越処理について図５を用いて説明する。図５は、各台装置１０が実行する貸越処理手順の概要を示すフローチャートである。
【００７３】
図５に示すように、特賞信号取得部１４ａは、パチンコ機２０から特賞信号を取得したら（ステップＳ１０１）、賞球を伴う特賞信号か否かを判定する（ステップＳ１０２）。特賞信号取得部１４ａによって賞球を伴う特賞信号であると判定された場合（ステップＳ１０２，Ｙｅｓ）、貸越部１４ｂは、持玉数１３ｃが所定数より少ないか否かを判定する（ステップＳ１０３）。一方、貸越部１４ｂは、特賞信号取得部１４ａによって賞球を伴う特賞信号ではないと判定された場合（ステップＳ１０２，Ｎｏ）、処理を終了する。
【００７４】
つづいて、貸越部１４ｂでは、持玉数１３ｃが所定数より少ない場合（ステップＳ１０３，Ｙｅｓ）、貸越払出数１３ａのパチンコ玉を貸越して玉払出部１１より払出し（ステップＳ１０４）、貸越玉数１３ｂへ貸越払出数１３ａをセットする（ステップＳ１０５）。また、持玉計数部１４ｄは、ステップＳ１０３で、持玉数１３ｃが所定数以上であった場合（ステップＳ１０３，Ｎｏ）、貸越処理を行わずに処理を終了する。
【００７５】
そして、持玉計数部１４ｄは、大当りの賞球である持玉を１玉計数し（ステップＳ１０６）、相殺部１４ｃは、貸越玉数１３ｂから１玉減算することによって貸越玉を相殺する（ステップＳ１０７）。
【００７６】
また、相殺部１４ｃは、貸越玉数１３ｂが０玉になったか否かを判定し（ステップＳ１０８）、貸越玉数１３ｂが０玉である場合（ステップＳ１０８，Ｙｅｓ）、各台装置１０が実行する一連の貸越処理を終了する。
【００７７】
一方、相殺部１４ｃは、貸越玉数１３ｂが０玉でない場合、すなわち、１玉以上ある場合（ステップＳ１０８，Ｎｏ）、ステップＳ１０６へ処理を移行し、持玉の計数および貸越玉数の減算を継続する。
【００７８】
ところで、本実施例においては、各台装置１０が賞球を伴う特賞信号を取得した場合に、貸越してパチンコ玉を貸し出し、大当り終了時に、大当り中に計数された持玉数から貸越したパチンコ玉の数を減算して相殺する各台装置１０について説明した。
【００７９】
しかしながら、本発明はこれに限られるものではない。そこで、以下では、各台装置の変形例について図６〜図８を用いて説明する。まず、ノズルを備えず、パチンコ機から持玉の払出しを行う各台装置、および、ダブルサンド方式の各台装置で貸越したパチンコ玉を相殺する場合の変形例について図６を用いて説明する。
【００８０】
図６は、変形例に係る各台装置を示す図である。図６の（Ａ）には、ノズルを備えていない各台装置を、図６の（Ｂ）には、ダブルサンド方式の各台装置を、それぞれ示している。
【００８１】
まず、図６の（Ａ）に示すように、パチンコ機２０ａが備える玉投出機構から持玉および貸玉の払出しを行う各台装置１０ａは、１回の払出で一定数のパチンコ玉を投出する。
【００８２】
このような変形例に係る各台装置１０ａによれば、計数した持玉によって貸越玉数を相殺する方法に加えて、玉貸ボタンが押下された際に、貸し出すパチンコ玉の数から貸越玉数１３ｂを減算することによって相殺することとしてもよい。
【００８３】
たとえば、１回の払出で２５玉パチンコ玉を貸し出す各台装置１０ａでは、大当り時に貸越して２５玉パチンコ玉を貸し出し、玉貸ボタンが押下された際に、２５玉を減算し、玉貸数が０玉となるのでパチンコ玉を投出しないことによって相殺することができる。
【００８４】
また、図６の（Ｂ）に示すように、各台計数機能を有する各台計数装置１０ｂと、玉貸機能を有する玉貸装置１０ｃとを併設するいわゆるダブルサンド方式の各台装置では、大当り時に貸越して、各台計数装置１０ｂに備えるノズルからパチンコ機２０ｂへパチンコ玉を投出する。そして、各台計数装置１０ｂは、大当り中に計数された持玉数から貸越したパチンコ玉の数を減算して相殺する。
【００８５】
つづいて、表示部１２に貸越してパチンコ玉が払出された旨を表示する表示例の変形例について図７を用いて説明する。図７は、変形例に係る表示部の表示例を示す図である。本実施例においては、図４を用いて説明したように、持玉数１３ｃから貸越玉数１３ｂを減算した玉数を表示部１２へ表示することとした。
【００８６】
しかし、図７に示すように、各台装置は、表示部１２や表示操作部２４へ持玉数１３ｃと貸越玉数１３ｂとを表示して、貸越してパチンコ玉が払出された旨を表示することとしてもよい。たとえば、図７の（Ａ）に示すように、貸越玉数１３ｂが０玉、持玉数１３ｃが３玉である場合について説明する。
【００８７】
図７の（Ｂ）に示すように、各台装置１０は、パチンコ機２０が大当り確定となり、２０玉のパチンコ玉を貸越して払出した場合に、「貸越玉数１３ｂ：２０玉、持玉数１３ｃ：３玉」と表示する。なお、表示する貸越玉数１３ｂの表示色を変更してもよいし、点滅させて強調表示することとしてもよい。
【００８８】
そして、図７の（Ｃ）に示すように、各台装置１０は、大当りの賞球が持玉計数部１４ｄによって１玉計数されると、貸越玉数１３ｂから１玉減算することによって貸越玉を相殺するとともに、「貸越玉数１３ｂ：１９玉、持玉数１３ｃ：３玉」と表示する。
【００８９】
図７の（Ｄ）に示すように、各台装置１０は、貸越玉数１３ｂが０玉になるまで、上述した処理を繰り返すことによって貸越相殺処理を行う。その後、貸越玉数１３ｂが０玉になったならば、持玉計数部１４ｄでは、相殺を行わずに持玉計数処理が行われ、１玉計数されるごとに、持玉数１３ｃに加算して、図７の（Ｅ）に示すように表示する。
【００９０】
つぎに、各台装置１０が賞球のない特賞信号を取得した場合にも貸越処理を行い、その後、玉貸指示を受け付けた際に貸越相殺処理を行う変形例について図８を用いて説明する。図８は、変形例に係る各台装置が実行する貸越相殺処理手順の概要を示すフローチャートである。
【００９１】
図８に示すように、変形例に係る各台装置では、賞球のない特賞信号を取得した場合であっても（ステップＳ２０１）、貸越してパチンコ玉を払出して（ステップＳ２０２）、貸越玉数１３ｂへ貸越払出数１３ａをセットする（ステップＳ２０３）。
【００９２】
そして、変形例に係る各台装置は、挿入された各種紙幣の残額あるいは貯玉数や持玉数が関連付けられたカードが挿入されているか否かを判定する（ステップＳ２０４）。残額またはカードがありと判定された場合（ステップＳ２０４，Ｙｅｓ）、変形例に係る各台装置は、玉貸ボタンが押下されたことによってパチンコ機から玉貸指示を受け付けたか否かを判定する（ステップＳ２０５）。
【００９３】
玉貸指示を受け付けたと判定された場合（ステップＳ２０５，Ｙｅｓ）、変形例に係る各台装置は、玉貸指示を受け付けた際に払出すパチンコ玉の貸出玉数から貸越玉数１３ｂを減算して相殺する（ステップＳ２０６）。
【００９４】
そして、変形例に係る各台装置は、貸越玉数１３ｂを０にクリアして（ステップＳ２０７）、貸出玉数のパチンコ玉を払出し（ステップＳ２０８）、変形例に係る各台装置が実行する一連の貸越処理を終了する。
【００９５】
一方、変形例に係る各台装置は、ステップＳ２０５で玉貸指示を受け付けないと判定された場合（ステップＳ２０５，Ｎｏ）、その後、遊技を終了する遊技客によってカード返却指示を受け付け（ステップＳ２０９）、指示に従って残額が対応付けられたカードを発行するまたはカードを返却する（ステップＳ２１０）。
【００９６】
ここでは、残額返却指示またはカード返却指示を受け付けたことによって貸越してパチンコ玉が払出された遊技客が、貸越玉数１３ｂを相殺しないまま遊技を終了したことが考えられる。したがって、この場合、変形例に係る各台装置は、新たに遊技をはじめる別の遊技客に対して貸越玉数１３ｂを相殺してしまうことがないように、貸越玉数１３ｂを０にクリアして（ステップＳ２１１）、処理を終了する。
【００９７】
また、ステップＳ２０４で残額またはカードがなしと判定された場合（ステップＳ２０４，Ｎｏ）、紙幣が挿入された、または、持玉数が関連付けられているカードが挿入された場合（ステップＳ２１２）、別の遊技客が遊技を開始したことが考えられる。したがって、この場合、変形例に係る各台装置は、別の遊技客に対して貸越玉数１３ｂを相殺してしまうことがないように、貸越玉数１３ｂを０にクリアして（ステップＳ２１３）、処理を終了する。
【００９８】
なお、上記変形例では、カードの挿入／返却や現金投入が発生したときに遊技客が交代したと判断して貸越玉数をクリアしたが、パチンコ玉の払出や遊技台へ打ち込まれるパチンコ玉を検知するためのアウト信号およびセーフ信号がない状態が所定時間を超えて継続した場合にも、同様の処理を行ってもよい。
【００９９】
また、貸越玉数をクリアした際には、クリアした貸越玉数やクリア時刻や台番号等の情報を管理コンピュータに送信して、集計ができるように管理したりクリア状況等を検索できるようにしてもよい。
【０１００】
上述してきたように、本実施例および変形例に係る各台装置および遊技媒体貸越方法は、賞球を伴う特賞信号を取得したら、所定数のパチンコ玉を貸越して払出し、各台装置では賞球を持玉数として計数し、計数された持玉数から貸越して払出したパチンコ玉数を減算して相殺することとした。
【０１０１】
したがって、本発明に係る各台装置および遊技媒体貸越方法は、大当り時に手持ちの遊技媒体がなくなった場合であっても、遊技客が追加で遊技媒体を借りることなく遊技を継続することができるとともに、もれなく相殺できることによって遊技店の不利益も防止することができる。
【０１０２】
なお、本発明の請求項に記載の各台装置は各台装置１０、計数手段は持玉計数部１４ｄ、特賞信号取得手段は特賞信号取得部１４ａ、貸越手段は貸越部１４ｂ、相殺手段は相殺部１４ｃの一例として挙げられる。
【０１０３】
なお、上述した実施例では、各台装置１０で貸越処理および相殺処理を行うこととしたが、処理の一部を遊技島に設けられた一群のパチンコ機および各台装置１０を束ねる中継装置である島コントローラや管理装置で行うようにしてもよい。これにより、各台装置１０の処理負担を低減することができる。
【０１０４】
また、上述した実施例では、各台装置１０で、貸越玉数１３ｂおよび持玉数１３ｃを記憶することとした。しかし、ＬＡＮ（Local  Area  Network）等のネットワーク経由で各台装置１０と接続された管理装置等で記憶することとしてもよい。また、管理装置が、各台装置１０の貸越払出数１３ａを変更できることとしてもよい。
【０１０５】
また、上述した実施例では、各台装置１０は、大当り時に、貸越して貸し出した貸越玉数を持玉数から減算して相殺することとしたが、貸越玉数に手数料として所定の玉数を加算した玉数を持玉数から減算して相殺することとしてもよい。
【０１０６】
また、上述した実施例では、パチンコ遊技に適用する例を説明したが、パチスロ遊技を対象としてさらに含めた場合、または、パチスロ遊技のみを対象とした場合にも同様に適用することができる。なお、ここでは、パチンコ店に本発明を適用する例を説明したが、本発明はこれに限定されるものではなく、ゲームセンタ等の遊技施設にも同様に適用することができる。
【産業上の利用可能性】
【０１０７】
以上のように、本発明に係る各台装置および遊技媒体貸越方法は、大当り時に手持ちの遊技媒体がなくなった場合に有用であり、特に、遊技客が追加で遊技媒体を借りることなく遊技を継続することができるとともに、遊技店の不利益も防止させたい場合に適している。
【符号の説明】
【０１０８】
１０    各台装置
１１    玉払出部
１２    表示部
１３    記憶部
１３ａ  貸越払出数
１３ｂ  貸越玉数
１３ｃ  持玉数
１４    制御部
１４ａ  特賞信号取得部
１４ｂ  貸越部
１４ｃ  相殺部
１４ｄ  持玉計数部
２０    パチンコ機
２１    状態表示部
２２    紙幣挿入部
２４    表示操作部
２５    カードＲ／Ｗ部
２７    玉貯留部
２８    下皿
２９    上皿
【図１】
2011182937.tif 000003
【図２】
2011182937.tif 000004
【図３】
2011182937.tif 000005
【図４】
2011182937.tif 000006
【図５】
2011182937.tif 000007
【図６】
2011182937.tif 000008
【図７】
2011182937.tif 000009
【図８】
2011182937.tif 000010